(57)【要約】【課題】本発明は空気浄化装置に関し、より詳しくは、汚染された室内空気を外へ排出し、新鮮な外気を室内に取り入れて、室内空間の空気を快適に保持させる換気設備の施工に便利な天井型空気浄化装置に関する。【解決手段】本発明に係る天井型空気浄化装置は、天井側に着脱可能に設置される上部ケース（１０）と；上記上部ケース側に着脱可能に設置される下部ケース（２０）と；上記上部ケース及び下部ケースの間に介在される濾過ユニット（３０）と；上記上部ケース及び下部ケースを着脱可能に結合する結合ユニット（４０）と；を含む。【選択図】  図１
2011501085.tif 000002
【特許請求の範囲】
【請求項１】
天井側に着脱可能に設置される上部ケースと；
上記上部ケース側に着脱可能に設置される下部ケースと；
上記上部ケース及び下部ケースの間に介在される濾過ユニットと；
上記上部ケース及び下部ケースを着脱可能に結合する結合ユニットと；を含むことを特徴とする天井型空気浄化装置。
【請求項２】
上記結合ユニットは、上記上部ケース及び下部ケースの対向する外側縁に備えられ、上記結合ユニットによって、上部ケース及び下部ケースは、対向する外側縁が離間して結合されることを特徴とする請求項１に記載の天井型空気浄化装置。
【請求項３】
上記結合ユニットは、上記上部ケースの縁に固定された一つ以上の固定板と；
上記固定板にピボット可能に設置された一つ以上の回転体と；
上記回転体にピボット可能に設置された一つ以上係止爪部と；
上記下部ケースの縁に備わって、上記係止爪部が取り外し可能に結合される一つ以上の係止突起と；
上記係止突起の後方に配置されて、上記固定板を支持する一つ以上の補強板と；を含むことを特徴とする請求項２に記載の天井型空気浄化装置。
【請求項４】
上記濾過ユニットは、上記上部ケースの管体と連通する連通空間を有する環状の濾材と；
上記濾材の一端に結合されて、上記上部ケースの管体と連通する開口を有する環状の上部ホルダーと；
上記濾材の他端に結合されて、上記上部ホルダーに締結具を通じて着脱可能に結合される下部ホルダーと；を含むことを特徴とする請求項１に記載の天井型空気浄化装置。
【請求項５】
上記上部ケースは、装着ブラケットによって、天井側に着脱可能に結合され、上記装着ブラケットと上部ケースは、対向する部分に複数の締結孔を形成し、上記装着ブラケットの締結孔は上記上部ケースの締結孔より小さく形成されることを特徴とする請求項１に記載の天井型空気浄化装置。
【発明の詳細な説明】
【技術分野】
【０００１】
本発明は空気浄化装置に関し、より詳しくは、汚染された室内空気を外へ排出し、新鮮な外気を室内に取り入れて、室内空間の空気を快適に保持する換気設備の施工に便利な天井型空気浄化装置に関する。
【背景技術】
【０００２】
一般に、空気浄化装置は、室内空間の汚染物質を除去したり低減する設備で、換気設備の内部に設置される空気浄化設備であり、空気を浄化する濾材に空気を通過させて、その中の埃を除去する。
【０００３】
従来には、空気を浄化する方法として、建物の１ヶ所に空気浄化設備（濾材）を設置して、ダクトを通じて建物の全体に空気を供給した。各階及び各部屋に空気を供給するために、配管が大きく、長さが長いため配管の費用が高かった。また、配管が長いため、空気を供給するファンモーターの容量が大きくなって、電力の消耗が多かった。このような従来の天井型空気浄化装置は、室内の天井側での施工及び取り外しが非常に煩雑で、これにより濾材及びその他の構成部品などの交換及び修理などが複雑な欠点があった。
【０００４】
また、従来の天井型空気浄化装置の内部に挿入されるフィルターは、写真を入れる額縁のような形状をしていて、額縁の中に板ガラスを嵌め込む前に、また、写真を入れる前に、溝に接着剤を塗布してから板ガラスと写真を嵌め込むと、写真とガラスのみ別途に交換することができない。このように、従来の空気浄化装置のフィルターは、フィルターのみを別途に取り替ることができなく、接着剤で貼り付けるため、全体を交換することにより、大量の廃棄物が発生された。また、フィルターが板ガラスの形状であるため、フィルターの面積が非常に小さくて、フィルターの抵抗が多く、塞がられやすいという欠点があった。特に、夏季には害虫や蜻蛉がたくさん入って来てすぐ塞がられるという欠点があった。
【発明の概要】
【発明が解決しようとする課題】
【０００５】
本発明は上記のような課題に鑑みて創出したもので、その施工及び取り外しが非常に容易で、濾材及びその他の構成部品などを簡単に交換及び修理することができる天井型空気浄化装置を提供することをその目的とする。
【０００６】
特に、本発明は接着剤を使用せずに、ボルト及びナットなどのような締結具で組み立てるので、その濾材の交換が容易で、また、その濾材のケースは継続して使用することができるので、費用を低減することができるとともに、廃棄物を消減することができるという長所がある。
【０００７】
また、本発明の空気浄化装置は、窓や窓が設置された窓枠の付近に、壁に約１５０ｍｍの穴を開け、約１５０ｍｍの波形管を用いて、約１５Ｗのファンモーターをその波形管に連結した後、配管の長さを約３ｍ以内に短くして、本空気浄化装置を天井に施工した場合、低コストで簡単に施工することができる。省エネルギーで、且つフィルター費用の低減により、設置費用及び経費を節約することができるという長所がある。
【０００８】
また、本発明は見掛けのよい天井型空気浄化装置を提供することをその目的とする。
【課題を解決するための手段】
【０００９】
上記課題を解決する本発明に係る天井型空気浄化装置は、天井側に着脱可能に設置される上部ケースと；上記上部ケース側に着脱可能に設置される下部ケースと；上記上部ケース及び下部ケースの間に介在される濾過ユニットと；上記上部ケース及び下部ケースを着脱可能に結合する結合ユニットと；を含む。
【００１０】
上記結合ユニットは、上記上部ケース及び下部ケースの対向する外側縁に備えられ、上記結合ユニットによって、上部ケース及び下部ケースは、対向する外側縁が離間して結合される。
【００１１】
上記結合ユニットは、上記上部ケースの縁に固定された一つ以上の固定板と；上記固定板にピボット可能に設置された一つ以上の回転体と；上記回転体にピボット可能に設置された一つ以上の係止爪部と；上記下部ケースの縁に備わって、上記係止爪部を取り外し可能に結合する一つ以上の係止突起と；上記係止突起の後方に配置され、上記固定板を支持する一つ以上の補強板と；を含む。
【００１２】
上記濾過ユニットは、上記上部ケースの管体に連通する連通空間を有する環状の濾材と；上記濾材の一端に結合されて、上記上部ケースの管体と連通する開口を有する環状の上部ホルダーと；上記濾材の他端に結合され、上記上部ホルダーに締結具を通じて着脱可能に結合される下部ホルダーと；を含む。
【００１３】
上記上部ケースは、装着ブラケットによって天井側に着脱可能に結合され、上記装着ブラケットと上部ケースは対向する部分に複数の締結孔が形成され、上記装着ブラケットの締結孔は上記上部ケースの締結孔より小さく形成される。
【発明の効果】
【００１４】
上記のような本発明は、接着剤を使用せずに、ボルト及びナットのような締結具を通じて濾材を固定するので、その取り外しが容易で、また濾材の交換及び修理が容易である。また、濾材を交換する際に、消耗された濾材のみを捨て、この濾材を固定する上部ホルダー及び下部ホルダーは継続して使用することができるので、コストを低減することができるとともに、廃棄物を消減することができる。
【００１５】
また、ワンルームの場合、窓や窓が設置された窓枠の付近に、壁に約１５０ｍｍの孔を開け、約１５０ｍｍの波形管を用いて、約１５Ｗのファンモーターをその波形管に連結した後、配管の長さを約３ｍ以内に短くして、本空気浄化装置を天井や壁に施工した場合、低コストで簡単に施工することができる。省エネルギーで、且つ、フィルターの低費用により、設置費用及び経費を節約することができるという長所がある。約５０坪のオフィスの場合、約１５０Ｗのファンモーターを用いて、直径が約２０５ｍｍの配管に分配器を使用して、部屋ごとにそれぞれ本空気浄化装置を天井に施工すると、低コストで簡便に施工することができるという効果を奏する。新鮮な外気をファンモーターの力で本空気浄化装置を通じて建物の中に強制に取り入れると、建物の中には陽圧（＋気圧）が発生して、部屋の床面や事務室の床面に敷かれる発ガン物質から空気圧で外側へ排出される効果を奏する。また、ドアの下に隙間がある場合、その隙間で、有害物質から排出されるという効果を奏する。窓がなく、防火扉が設置された地下待避所や倉庫の場合、このように密閉された空間に空気を取り入れると、圧力が発生して防火扉が開かれなくなる。その故、建物の床面から天井まで長方形のパイプを立設して天井の中に配管して、床面に敷かれる有害物質から外側に排出されるようにすると、法的基準値である時間当り０．７回だけ空気を換気させても非常に良い効果が得られる。発ガン物質、ベンゼン、トルエン、キシレン（Ｂ．Ｔ．Ｘ）、ダイオキシンなどの有害物質は、比重が酸素より重いため部屋の床面に敷かれている。そのため、毎日約７時間程度寝ながら有害物質を吸うため、各種の癌や糖尿病などの不治の病気がたくさん発生される。これをシックハウス症候群と言い、世界保健機関（ＷＨＯ）などでは、ベンゼンを発ガン物質に確定した。ベンゼン等の発ガン物質は、比重が空気より重いため、地面の約１Ｍ以内に敷かれている。従来の方法は、天井にファンモーターを設置して、上へ上昇する酸素と暖かい空気から外に排出した。それなると、ベンゼン等の有害物質が戸の下の隙間に吸入されて、室内をむしろ汚染していた。特に、地下部屋の場合、一回入った有害物質は床面に敷かれて外に排出されないため、地下部屋で住んでいる人々は、呼吸器疾患、各種の癌及び糖尿病の患者が多い。本空気浄化装置を地下部屋に設置すると、カビ菌が生息することができないため、カビの臭いが消えて頭を明晰にする効果を奏する。新たに建築した共同住宅に施工した場合、部屋の床面に敷かれている有害物質から外に排出させる効果を奏する。特に、病院では、病院感染の原因となるスーパーウイルスは一般の抗生剤で殺されない。そのため、病院で病気が移されて、年に１５、０００人が死亡すると大韓院内感染管理学会で発表した（朝鮮日報２００７、０２、０３）。病院に治療に行って、重病にかかって死んだり、半身不随になる病院感染の原因が換気の不足である。外気をきれいに浄化して、ファンモーターの力で病院の中に強制に取り入れると、空気圧が発生して、その空気圧で供給される新鮮な空気を吸うことができ、建物の床の湿気が完全に乾燥し、雑巾を洗っても完全に乾く。布団や敷布団や枕が完全に乾くので、部屋の中の埃やダニも乾いて死んでしまう。湿度は外の湿度と同じであるが、空気圧でスーパーウイルスも完全に乾かして殺すことができる。カビ菌や埃、ダニや細菌の大部分は８０％が水分であるため、本空気浄化装置で空気を取り入れて、空圧で乾燥させて完全に乾かすことができる。最近、オフィス症侯群は、換気の不足で呼吸器の疾患を誘発している。オフィスに太陽熱で熱くなった空気とオフィス機器により熱くなった空気を換気させると、エアコンの電気料金が約１０万ウォンから約２万ウォンに低減され、それにより、毎月８万ウォンのエアコンの電気料金を節約することができるとともに、頭が明晰になって事務能力が向上する。エアコンは三伏の酷暑の午後にのみ使えば、オフィス症侯群はなくなり、健康になることができる。
【００１６】
上記のような本発明は、その施工または取り外しが非常に容易で、濾材及びその他の構成部品などの交換及び修理を非常に容易にすることができるという効果を奏する。また、本発明は優れた見掛けを提供することができるという長所がある。
【図面の簡単な説明】
【００１７】
【図１】本発明の第１実施形態に係る天井型空気浄化装置を示した斜視図。
【図２】本発明の第１実施形態に係る天井型空気浄化装置を示した分解斜視図。
【図３】本発明の第１実施形態に係る天井型空気浄化装置を示した断面図。
【図４】図３のＡ部分を拡大して示した図面。
【図５】本発明の第２実施形態に係る天井型空気浄化装置を示した断面図。
【図６】本発明の第３実施形態に係る天井型空気浄化装置を示した断面図。
【発明を実施するための形態】
【００１８】
以下、本発明の好ましい実施形態を添付された図面を参照して詳しく説明する。
【００１９】
図１乃至図４は、本発明の第１実施形態に係る天井型空気浄化装置を示す。
【００２０】
図示したように、本発明の天井型空気浄化装置は、天井側に着脱可能に設置される上部ケース１０と；上部ケース１０側に着脱可能に設置される下部ケース２０と；上部ケース及び下部ケースの間に介在される濾過ユニット３０と；上部ケース１０及び下部ケース２０を離間して着脱可能に結合する結合ユニット４０と；を含む。
【００２１】
天井の構造は、天井スラブ１と、該天井スラブ１から所定間隔ｄに離間された天井パネル２とからなり、天井パネル２は、天井スラブ１側に設置されたハンガー（図示せず）及び水平支柱２ａなどによって所定距離ｄに離間して設置される。
【００２２】
上部ケース１０は、その上部の中心部に管体１２を有し、該管体１２には、室外と連通する吸入管３が嵌合され、この吸入管３には吸入ファン（図示せず）が設置されて、室外空気を吸入する。
【００２３】
また、上部ケース１０の上面には、締結具１９が締結される複数の締結孔１１を形成し、上部ケース１０は装着ブラケット１５によって天井側に固設されることができる。
【００２４】
装着ブラケット１５は、締結具１７によって、天井パネル２の水平支柱２ａに結合されることができ、その縁に、その剛性を補強する補強突起１５ｂを有し、その中心部には、上部ケース１０の管体１２が通過する開口１６を有する。装着ブラケット１５は、上部ケース１０の締結孔１１に隣接する部分に複数の締結孔１５ａを有し、上記装着ブラケット１５の締結孔１５ａは、上部ケース１０の締結孔１１より小さく形成されて、締結具１８による上部ケース１０及び装着ブラケット１５の固定をより堅固にすることができる。
【００２５】
一方、装着ブラケット１５は上部ケース１０をより堅固に天井側に固定するためのもので、特に、アパートなどのように、天井の空間（即ち、図３の天井スラブ１と天井パネル２との間の距離ｄ）が低い場合に、上部ケース１０が装着ブラケット１５によって結合されることによって、その施工が容易で、且つ、上部ケース１０の固定がより堅固になるという長所がある。
【００２６】
下部ケース２０は、結合ユニット４０によって、上部ケース１０側に所定間隔に離間して結合される。
【００２７】
濾過ユニット３０は、上部ケース１０の管体１２を通じて流入される室外空気の中に含有される埃を濾過した後、室内側にその濾過された室外空気を吐出する。そして、濾過ユニット３０は騷音を防止する吸音作用を同時に行うことができる。
【００２８】
濾過ユニット３０は、上部ケース１０の管体１２と連通する連通空間３１ａを有する環状の濾材３１と；上記濾材３１の一端に結合される環状の上部ホルダー３２と；上記濾材３１の他端に結合される下部ホルダー３３と；を含む。
【００２９】
環状の濾材３１は、ろ布、紙、ぺルト、スポンジなどのような纎維形態の濾材を適用したもので、その濾過及び吸音性能を高めるように皺寄らせて形成してもよい。
【００３０】
上部ホルダー３２は、その中央部に上部ケース１０の管体１２と連通する開口３２ａを備えたドーナツ形状に形成され、その縁に濾材３１の一端が結合される結合溝３２ｂを備える。
【００３１】
下部ホルダー３３は、その中央部に閉鎖部３３ａを備えた円板形に形成され、その縁に濾材３１の他端が結合される結合溝３３ｂを備える。
【００３２】
上部ホルダー３２は、開口３２ａに隣接する縁に複数の締結孔３２ｃを有し、下部ホルダー３３は、上部ホルダー３３の締結孔３２ｃに対応する部分に締結孔３３ｃを有する。この締結孔３２ｃ、３３ｃに締結具３５が着脱可能に結合されることによって、濾材３１の交換または修理が非常に簡単になる。
【００３３】
また、濾過ユニット３０は濾材３１の外面に濾過網３４を配置し、この濾過網３４によって濾材３１の外周面が隠蔽されて、見掛けがよくなる。
【００３４】
結合ユニット４０は、上部ケース１０及び下部ケース２０の対向する外側縁に備えられ、該結合ユニット４０によって、上部ケース１０及び下部ケース２０は、その外側縁が離間して結合されることによって、濾材３１の外周面が室内側に露出される。
【００３５】
結合ユニット４０は、上部ケース１０の縁に固定された一つ以上の固定板４１と；上記固定板４１にピボット可能に設置された一つ以上の回転体４２と；上記回転体４２にピボット可能に設置された一つ以上の係止爪部４３と；下部ケース２０の縁に備えられた一つ以上の係止突起４４と；係止突起４４の後方に配置された一つ以上の補強板４５と；を含む。
【００３６】
一つ以上の固定板４１は上部ケース１０の縁に円周方向に配置され、各固定板４１は下部ケース２０に向けて延長される。
【００３７】
回転体４２は、ヒンジピン４２ａによって各固定板４１にピボット可能に設置され、各回転体４２には係止爪部４３がピボット可能に設置され、該係止爪部４３は、その自由縁が係止突起４４に係止されることによって、上部ケース１０及び下部ケース２０は結合される。
【００３８】
一つ以上の係止突起４４は、固定板４１に対応して下部ケース２０の縁に円周方向に配置され、各係止突起４４の後方には、補強板４５が下部ケース２０側に固定され、この補強板４５は固定板４１の後方を支持する。
【００３９】
このような結合ユニット４０は、上部ケース１０及び下部ケース２０の間に濾過ユニット３０が介在された状態で、図４に示したように、係止爪部４３の自由縁が係止突起４４に係止された後、回転体４２が上部ケース１０側に回転して、上部ケース１０及び下部ケース２０は結合される。この場合、補強板４５が固定板４１の後方を支持することによって、係止爪部４３が係止突起４４に結合された状態をより堅固に保持することができ、これによって上部ケース１０及び下部ケース２０の結合がより堅固になるという長所がある。
【００４０】
また、結合ユニット４０は、図４で示したように、回転体４２を下部ケース２０側に回転させると、係止爪部４３は係止突起４４から取り外されてその結合状態が解除され、これによって下部ケース２０及び濾過ユニット３０は上部ケース１０から分離されることができる。
【００４１】
図５は、本発明の第２実施形態に係る天井型空気浄化装置を示し、第２実施形態の空気浄化装置は、その一部を天井パネル２の内側に埋め込んで、その露出を最小化させて、見掛けをより美麗にすることを特徴とする。
【００４２】
第２実施形態は、装着ブラケット１５の中心部に、上部ケース１０の一部を収容可能な収容溝１５ａを備え、上部ケース１０の上部の一部は装着ブラケット１５の収容溝１５ａに収容されることによって、第２実施形態の空気浄化装置は、その一部が天井パネル２の内側に埋め込まれることができる。
【００４３】
このような第２実施形態は、業務用の建物などのように、天井スラブ１と天井パネル２との間の離間距離ｄが大きい場合に非常に適合する。
【００４４】
図６は、本発明の第３実施形態に係る天井型空気浄化装置を示し、第３実施形態の空気浄化装置は、上部ケース１０が天井パネル２の水平支柱側に直接設置されることによって、装着ブラケット１５を省略することを特徴とする。
【００４５】
第３実施形態の上部ケース１０は、その側壁面１３が長く形成されて、その一部が天井パネル２の内側に進入し、上部ケース１０の下端には補強突起１０ｂが備えられ、上部ケース１０は締結具１７によって天井パネル２の水平支柱２ａに直接結合され、これによって上部ケース１０は天井パネル２の内側に進入することができる。そして、上部ケース１０に下部ケース２０及び濾過ユニット３０が結合ユニット４０によって結合される。
【００４６】
これにより、上部ケース１０の側壁面１３が相対的に長く形成され、これによって、上部ケース１０の内部に長さが長い濾過ユニット３０を収容して、濾過性能及び吸音性能を向上させることができる。
【００４７】
また、第３実施形態の空気浄化装置は、業務用建物などのように、天井スラブ１と天井パネル２との間の離間距離ｄが大きい場合に非常に適合する。
【符号の説明】
【００４８】
１０：上部ケース
２０：下部ケース
３０：濾過ユニット  
４０：結合ユニット
【図１】
2011501085.tif 000003
【図２】
2011501085.tif 000004
【図３】
2011501085.tif 000005
【図４】
2011501085.tif 000006
【図５】
2011501085.tif 000007
【図６】
2011501085.tif 000008
【国際調査報告】
2011501085.tif 000009
2011501085.tif 000010